(57)【要約】【課題】  照明設備におけるコネクタに対し正確に短時間で照明機器を設置接続する。【解決手段】  複数のコネクタ５１〜５９を備える照明設備におけるコネクタの識別情報に対応させて、コネクタに接続する照明機器３１〜３９の識別情報が記憶されたテーブルを具備する調光卓１を備える。照明機器３１〜３９の識別情報が記憶されたＩＣタグ４１〜４９から情報を読み取る読取部２４を備えた端末器２を用いて、この読取部２４にて読み取った情報を調光卓１へ送り、これに対して調光卓１から当該照明機器が接続されるコネクタ位置をレイアウト表示する表示情報を得るように構成したものである。【選択図】  図１
2007066584.tif 000002
【特許請求の範囲】
【請求項１】
照明機器の識別情報が記憶された情報記憶チップと；
情報記憶チップから情報を読み取る読取部と、情報を表示する表示部と、読取部により読み取られた情報をセンタ装置へ送信し、センタ装置から情報を受信する情報送受制御手段と、情報送受制御手段により受信された情報に基づき表示部へ情報を表示する表示制御手段とを具備する端末装置と；
複数のコネクタを備える照明設備におけるコネクタの識別情報に対応させて、コネクタに接続する照明機器の識別情報が記憶されたテーブルと、照明機器の識別情報を受け取ると、これに対応する照明機器が接続されるコネクタの識別情報をテーブルを検索して求め、このコネクタについて照明設備における位置をレイアウト表示する表示情報を送出する表示情報送出手段とを具備するセンタ装置と；
を備えることを特徴とする照明設備支援システム。
【請求項２】
テーブルには、照明機器の識別情報と共に当該照明機器の機種情報が記憶され；
情報送受制御手段は、照明設備におけるコネクタの情報をセンタ装置へ送信し；
表示情報送出手段は、照明設備におけるコネクタの情報を受け取った場合に、このコネクタに接続する照明機器の識別情報または機種情報の少なくとも一方をテーブルから求めて送出することを特徴とする請求項１に記載の照明設備支援システム。
【請求項３】
情報記憶チップは、照明機器に付設され、または、照明機器に付設される前であることを特徴とする請求項１または請求項２に記載の照明設備支援システム。
【請求項４】
表示情報送出手段は、コネクタに所要の照明機器が接続されたことを示す接続済情報及び照明機器の識別情報またはコネクタの識別情報を受け取った場合に、接続済みとなったコネクタ位置を照明設備のレイアウト画像に表示することを特徴とする請求項１乃至３のいずれか１項に記載の照明設備支援システム。
【請求項５】
コンピュータにより実行され、
照明設備の表示画像におけるコネクタ位置情報を受け付け、コネクタ識別情報に対応させて記憶すると共に、上記コネクタ位置情報対応のコネクタ画像を含む照明設備レイアウト画像を生成するレイアウト画像作成手段と；
複数のコネクタを備える照明設備におけるコネクタの識別情報と、コネクタに接続する照明機器の識別情報の入力に応じて、これらを対応付けて記憶したテーブルを作成するテーブル作成手段と；
を実現し、
照明設備支援システムのセンタ装置におけるレイアウト画像作成とテーブル作成を行うことを特徴とする照明設備支援システム用プログラム。
【発明の詳細な説明】
【技術分野】
【０００１】
この発明は、劇場やスタジオやホールなどにおける照明設備を、実施される演目やイベント毎に変更等する場合に好適な照明設備支援システム及びこの照明設備支援システムの構築に用いる照明設備支援システム用プログラムに関するものである。
【背景技術】
【０００２】
劇場やスタジオやホールなどにおける照明設備にあっては、実施される演目やイベント毎に、どのような照明機器をいずれのコネクタに接続するかの変更が行われるのが通例である。これに対応して、従来においては、紙などに描かれた照明機器とコネクタとの接続配線図などを頼りに人手による接続変更が行われていた。
【０００３】
上記の手法による作業にあっては、照明機器の機種や電力更にはその他の情報を照明器具のプレートなどで確認し、劇場やスタジオにおけるコネクタ位置を確認し、誤りのないように設置及び接続を行う必要があった。そのため、作業効率が悪く多くの時間を要するという問題があった。
【０００４】
所謂ＩＣタグ等を用いて、調光システムにおける照明機器の累積点灯時間等や器具形名等を知らせるものが特許文献１に記載されている。しかしながら、演目やイベント等に応じて頻繁に照明機器が取り換えられることに対応するものではなく、また、照明設備におけるコネクタに対し正確に短時間で照明機器を設置接続するためのものでもない。
【特許文献１】特開２００４−２４７２７３号公報
【発明の開示】
【発明が解決しようとする課題】
【０００５】
本発明は、従来の劇場、舞台、スタジオなどの照明システムでは、設置変更等場合に、所要照明機器を所要コネクタに正確に短時間では配置接続できないという問題点を解決するものであり、その目的は、演目やイベント等に応じて頻繁に照明機器が取り換えられることに適切に対応でき、また、照明設備におけるコネクタに対し正確に短時間で照明機器を設置接続することを可能とする照明設備支援システム、また、この照明設備支援システムの構築に用いる照明設備支援システム用プログラムを提供することである。
【課題を解決するための手段】
【０００６】
本発明に係る照明設備支援システムは、照明機器の識別情報が記憶された情報記憶チップと；情報記憶チップから情報を読み取る読取部と、情報を表示する表示部と、読取部により読み取られた情報をセンタ装置へ送信し、センタ装置から情報を受信する情報送受制御手段と、情報送受制御手段により受信された情報に基づき表示部へ情報を表示する表示制御手段とを具備する端末装置と；複数のコネクタを備える照明設備におけるコネクタの識別情報に対応させて、コネクタに接続する照明機器の識別情報が記憶されたテーブルと、照明機器の識別情報を受け取ると、これに対応する照明機器が接続されるコネクタの識別情報をテーブルを検索して求め、このコネクタについて照明設備における位置をレイアウト表示する表示情報を送出する表示情報送出手段とを具備するセンタ装置と；を備えることを特徴とする。
【０００７】
本発明に係る照明設備支援システムでは、テーブルには、照明機器の識別情報と共に当該照明機器の機種情報が記憶され；情報送受制御手段は、照明設備におけるコネクタの情報をセンタ装置へ送信し；表示情報送出手段は、照明設備におけるコネクタの情報を受け取った場合に、このコネクタに接続する照明機器の識別情報または機種情報の少なくとも一方をテーブルから求めて送出することを特徴とする。
【０００８】
本発明に係る照明設備支援システムでは、情報記憶チップは、照明機器に付設され、または、照明機器に付設される前であることを特徴とする。
【０００９】
本発明に係る照明設備支援システムでは、表示情報送出手段は、コネクタに所要の照明機器が接続されたことを示す接続済情報及び照明機器の識別情報またはコネクタの識別情報を受け取った場合に、接続済みとなったコネクタ位置を照明設備のレイアウト画像に表示することを特徴とする。
【００１０】
本発明に係る照明設備支援システム用プログラムは、コンピュータにより実行され、照明設備の表示画像におけるコネクタ位置情報を受け付け、コネクタ識別情報に対応させて記憶すると共に、上記コネクタ位置情報対応のコネクタ画像を含む照明設備レイアウト画像を生成するレイアウト画像作成手段と；複数のコネクタを備える照明設備におけるコネクタの識別情報と、コネクタに接続する照明機器の識別情報の入力に応じて、これらを対応付けて記憶したテーブルを作成するテーブル作成手段と；を実現し、照明設備支援システムのセンタ装置におけるレイアウト画像作成とテーブル作成を行うことを特徴としている。
【発明の効果】
【００１１】
本発明に係る照明設備支援システムは、照明機器の識別情報が記憶された情報記憶チップから情報を読み取る読取部と読取部により読み取られた情報をセンタ装置へ送信し、センタ装置から情報を受信する情報送受制御手段と、情報送受制御手段により受信された情報に基づき表示部へ情報を表示する表示制御手段とを端末装置が備えており、センタ装置では、照明機器の識別情報を受け取ると、これに対応する照明機器が接続されるコネクタの識別情報をテーブルを検索して求め、このコネクタについて照明設備における位置をレイアウト表示する表示情報を送出するので、端末装置において読取部にて読み取った情報記憶チップに対応する照明機器が接続されるコネクタについて、照明設備における位置がレイアウト表示され、容易に適切に、該当照明機器が接続されるコネクタの位置を把握し、配置接続作業を効率良く短時間で可能とする。
【００１２】
また、本発明に係る照明設備支援システムでは、端末側にて照明設備におけるコネクタを指定することによりコネクタに接続する照明機器の識別情報または機種情報の少なくとも一方が得られることから、コネクタに接続する照明機器の識別情報または機種情報の少なくとも一方を知ることができ、配置接続作業を効率良く行うことが可能である。また、情報記憶チップを照明機器に付設する場合に、コネクタに接続された状態である照明機器に関する情報を知ることができ照明機器への付設を適切に行うことができる。即ち、既存の照明機器へ情報記憶チップを付設して適切な運用を可能とする。
【００１３】
また、本発明に係る照明設備支援システムでは、接続済みとなったコネクタ位置を照明設備のレイアウト画像に表示するので、作業の進捗状況や照明機器が接続されていないコネクタを知ることができ、効率的な作業が可能である。
【００１４】
本発明に係る照明設備支援システム用プログラムでは、コンピュータにより実行されて、コネクタ位置情報対応のコネクタ画像を含む照明設備レイアウト画像を生成し、複数のコネクタを備える照明設備におけるコネクタの識別情報と、コネクタに接続する照明機器の識別情報の入力に応じて、これらを対応付けて記憶したテーブルを作成するので、これらをセンタ装置以外のコンピュータにおいて作成してセンタ装置へ登録可能であり、現地におけるシステム構築を効果的に短時間で可能とする。
【発明を実施するための最良の形態】
【００１５】
本発明は、演目やイベント等に応じて頻繁に照明機器が取り換えられることに適切に対応できるようにし、また、照明設備におけるコネクタに対し正確に短時間で照明機器を設置接続するという目的を、照明機器の識別情報が記憶された情報記憶チップから情報を読み取る読取部を備え、この読み取った情報に対してセンタ装置から当該照明機器が接続されるコネクタ位置をレイアウト表示する表示情報を得るように構成して、実現したものである。
【実施例１】
【００１６】
以下添付図面を参照して、本発明に係る照明設備支援システム及び照明設備支援システム用プログラムの実施例を説明する。各図において、同一の構成要素には同一の符号を付して重複する説明を省略する。図１には、本発明に係る照明設備支援システムの実施例に係る構成が示されている。本システムにおいては、センタ装置である調光卓１と端末装置であるＰＤＡ（personal digital assistant）などの端末器２−１、２−２、・・・、２−ｎがネットワーク３による通信を行って情報を送受するように構成されている。ネットワーク３は、例えば無線或いは有線によるＬＡＮ（local area network）により実現されている。
【００１７】
調光卓１は、調光制御をするセンタ装置であり、制御部１０が各部を統括制御するもので、制御部１０には、情報を表示するための表示部１１、キーボードやタッチパネルなど各種の入力装置から構成される操作部１２、例えばＬＡＮカードにより構成される通信部１３が接続されている。
【００１８】
端末器２−１、２−２、・・・、２−ｎは、同一の構成であるから、代表として端末器２−１について説明する。端末器２−１は、照明機器を適切に配置接続して所要の照明設備（照明システム）を構築するために作業員等に携帯される。端末器２−１は、制御部２０が各部を制御するものであり、制御部２０には、情報を表示するための表示部２１、キーボードやタッチパネルなど各種の入力装置から構成される操作部２２、例えばＬＡＮカードにより構成される通信部２３、更には、ＲＦＩＤタグやＩＣタグと称され、各種の情報が書き込まれる情報記憶チップから情報を読み取る読取部２４が接続されている。
【００１９】
劇場やスタジオ等に設けられているバトンなど各種の照明設備５には、コネクタ５１〜５９が備えられている。コネクタ５１〜５９の数は例示に過ぎず、これより多くても又少なくても良い。コネクタ５１〜５９は調光器に接続され、調光卓１からの制御により、コネクタ５１〜５９に接続される照明機器の調光制御がなされるが、この調光システムは例えば、特願２００５−１６８０９７号に記載のシステムにより実現する。
【００２０】
コネクタ５１〜５９に対応して、接続される照明機器３１〜３９が用意されている。照明機器３１〜３９には、それぞれＩＣタグ４１〜４９が付設されている。ＩＣタグ４１〜４９には、図２（ａ）に示されるように、照明機器３１〜３９の識別情報である照明機器ＩＤに対応して、機種情報、消費電力情報、更に必要な場合に、フィルタ情報やレンズ情報等の照明機器３１〜３９の属性を示す情報が記憶されている。照明機器ＩＤは、ＩＣタグ毎にユニークな情報であり、新たな照明機器が導入されてＩＣタグを付す場合には既存の照明機器ＩＤと重複することはないように付される。
【００２１】
ＩＣタグ４１〜４９は、アンテナ部とメモリ部とを有し、図１の読取部２４を用いて電磁波によりアンテナ部を介してメモリ部上へ上記図２（ａ）に示されるような情報を読み出し可能である。情報の書き込みに関しては、この端末器２−１〜２−ｎが書き込み機能を有する構成とすることにより可能であるが、ここでは、別途図示しないリーダ／ライタを用いて書き込みを行うものとする。
【００２２】
コネクタ５１〜５９に対応して、照明機器３１〜３９のいずれが接続されるかに関しては、演目やイベント等に応じて変更されるものであり、本システムでは、コネクタ５１〜５９に、照明機器３１〜３９のいずれを接続するか等について、端末器２−１〜２−ｎにおいて表示し、照明設備における照明システムの構築を支援する。
【００２３】
調光卓１の制御部１０には、図２（ｂ）に示されている通り、テーブル１０１と表示情報送出手段１０２及び表示情報１００とが備えられている。テーブル１０１は、図３に示される「照明機器−コネクタ対応テーブル」と、図４に示される「コネクタ位置情報テーブル」とを備えている。図３に示される「照明機器−コネクタ対応テーブル」には、コネクタ５１〜５９の識別情報であるコネクタＩＤに対応させて、コネクタ５１〜５９に接続する照明機器の識別情報であるが記憶されている。コネクタＩＤは、コネクタ５１〜５９に対応してユニークに付された情報である。「照明機器−コネクタ対応テーブル」には、上記の他に、照明機器の接続完了を管理するための「済フラグ」、各照明機器の機種情報、消費電力情報、更に必要な場合に、フィルタ情報やレンズ情報等の属性情報が照明機器ＩＤに対応されて記憶されている。
【００２４】
一方、図４に示される「コネクタ位置情報テーブル」には、コネクタＩＤに対応して、コネクタ位置情報が記憶されている。「コネクタ位置情報テーブル」は、端末器２−１〜２−ｎに当該劇場やスタジオ等の照明設備に関し、図５に示される如くレイアウト表示が行われる場合に、コネクタＣ１〜Ｃ９（５１〜５９に対応）のいずれが指示されたかを管理するためのもので、コネクタＣ１〜Ｃ９の図形に対応して、例えば四角形の対角線により結ばれる２頂角の座標情報である。
【００２５】
表示情報１００は、当該照明設備である劇場やスタジオの見取り図を表示する表示情報（レイアウト表示用の情報）であり、本実施例においては、例えば図５に示されるように表示装置の画面Ｄに対し、「○○劇場舞台」というようなタイトルと、舞台を示す矩形情報及びその前側を示す「前」の文字情報、更には、照明機器が設置されると共にコネクタ（ここでは、Ｃ１〜Ｃ９により示す）が設けられた設備であるバトンを示す矩形情報及びバトンの番号情報、コネクタを示す丸に十字の図形情報及び符号Ｃ１〜Ｃ９の文字情報等により、表示情報１００が構成されている。
【００２６】
図２（ｂ）に示された調光卓１の制御部１０における表示情報送出手段１０２は、照明機器の識別情報である照明機器ＩＤを受け取ると、これに対応する照明機器が接続されるコネクタの識別情報コネクタＩＤをテーブル１０１（図３の「照明機器−コネクタ対応テーブル」）を検索して求め、このコネクタについて照明設備における位置をレイアウト表示する表示情報を送出するものである。
【００２７】
一方、端末器２−１、２−２、・・・、２−ｎに備えられている制御部（代表として、端末器２−１の制御部）２０には、図２（ｃ）に示されているように、情報送受制御手段２０１、表示制御手段２０２が備えられている。情報送受制御手段２０１は、読取部２４により読み取られた情報をセンタ装置１へ送信し、センタ装置１から情報を受信するものである。表示制御手段２０２は、情報送受制御手段２０１により受信された情報に基づき表示部２１へ情報を表示するものである。
【００２８】
以上のように構成されたシステムにおいて、代表としての端末器２−１における制御部２０は、図９、図１０に示されるフローチャートに対応するプログラムにより動作して情報送受制御手段２０１、表示制御手段２０２を実現する。一方、調光卓１の制御部１０は、図１１に示されるフローチャートに対応するプログラムにより動作して表示情報送出手段１０２を実現する。以下、これらのフローチャートに基づきシステムの動作を説明する。端末器２−１が起動され、照明設備支援システムの端末装置として図９と図１０に示され動作を開始する。即ち、制御部２０は、通信部２３を介して調光卓１へアクセスし、当該照明設備である劇場やスタジオの見取り図を表示する表示情報（レイアウト表示用の情報）１０３を取得する（Ｓ１：情報送受制御手段２０１）。
【００２９】
上記に対し、調光卓１の制御部１０は、図１１のフローチャートに示されるように、端末器２−１〜２−ｎからの最初のアクセスを待ち受けており（Ｓ２１）、上記の端末器２−１によるアクセスに応えて、現状の接続済情報を反映させた表示情報１００を送出する（Ｓ２２）。ここで、端末器２−１によるアクセスが、端末器２−１〜２−ｎの中の最初にアクセスであるとすると、表示情報１００は図５に示される如くのレイアウト表示を行う情報であり、変更が加えられていないものである。
【００３０】
このようなステップＳ２２における、調光卓１によって行われる表示情報１００の送出を受けて、端末器２−１の制御部２０は、図５に示されている画面において、画面左下隅には、読取部２４によるＩＣタグの情報読み取りを指示するボタンである「読取」ボタンと、読取部２４による読み取りを行ったＩＣタグが付設された照明機器を所定のコネクタへ接続完了したことを通知するボタンである「済」ボタンと、照明機器の情報について表示を求めることを通知するボタンである「機器」ボタンとが、表示情報１００により表示される。
【００３１】
表示部２１に図５に示されるような画像が表示された状態において、端末器２−１の制御部２０は、図９に示すようにタグ読取指示がなされたか（Ｓ３）、表示されたコネクタを指示する入力がなされたか（Ｓ４）、終了を指示する図示せぬキー等の操作がなされたか（Ｓ５）を検出している。ここで、端末器２−１の操作者が、照明機器３１〜３９の中の１つに付設されたＩＣタグに端末器２−１を近付けて表示画面における「読取」ボタンの入力操作を行うと、端末器２−１の制御部２０は、ステップＳ３においてＹＥＳへ分岐し、読取部２４を介してＩＣタグに記憶されている情報を読み取り、調光卓１へ送出する（Ｓ６：情報送受制御手段２０１）。
【００３２】
このときに調光卓１の制御部１０は、図１１に示されるように読み取られたＩＣタグの情報の到来がないか（Ｓ２３）、「済」ボタンの操作入力に係る情報（「済」の情報と共にその前に入力操作されたコネクタの位置情報の到来がないか（Ｓ２５）、または、コネクタの位置情報の到来がないか（Ｓ２８）を検出している。そこで、上記の通りに、ＩＣタグに記憶されている情報を読み取った結果が、端末器２−１から送られてくるので、ステップＳ２３においてＹＥＳへ分岐し、上記ＩＣタグから読み取られた情報に対応するコネクタ情報、特に照明機器ＩＤに対応するコネクタ情報（コネクタＩＤ）を、図３に示される「照明機器−コネクタ対応テーブル」を検索して求め、このコネクタＩＤに基づき、図４に示される「コネクタ位置情報テーブル」から当該コネクタの画面上の位置情報を求めて、このコネクタについて照明設備における位置をレイアウト表示する表示情報を図６に示す如くに作成して端末器２−１へ送出する（Ｓ２４：表示情報送出手段１０２）。ここで図６の画像を表示する表示情報は、コネクタＣ２に接続されるべき照明機器に付設されたＩＣタグの情報が送られた場合に作成されるものである。
【００３３】
上記の制御卓における制御部１０から表示情報が送られてくることに応じて、端末器２−１の制御部２０は、表示情報を受け取り（Ｓ７：情報送受制御手段２０１）、表示部２１への表示を行い、図６に示されるような画像が表示される（Ｓ８：表示制御手段２０２）。これにより、コネクタＣ２が特殊表示され、先に読み取ったＩＣタグが付設されている照明機器は、バトンＮｏ．１のコネクタＣ２に接続すべきであることが一目瞭然に分かるものである。
【００３４】
そこで、作業員が該当の照明機器をバトンＮｏ．１のコネクタＣ２に接続し、バトンＮｏ．１のコネクタＣ２に対する接続作業完了を通知するため、表示画面におけるバトンＮｏ．１のコネクタＣ２を指示する入力を行う。すると、端末器２−１の制御部２０は、ステップＳ４において、この指示入力を受け付け、「済」のボタンを入力するか、照明機器の情報について表示を求める「機器」ボタンを入力するかにつき、別途ウインドウに表示して入力を促す（Ｓ９）。
【００３５】
上記の例では、接続作業完了を通知を行うため、「済」のボタンを入力する操作が行われ、これをステップＳ１０にて監視していた端末器２−１の制御部２０はステップＳ１５へと進み、「済」の情報と共に接続作業完了したバトンＮｏ．１のコネクタＣ２に係る位置情報を画面から求め、調光卓１へ送出する（Ｓ１５：情報送受制御手段２０１）。
【００３６】
これに対し調光卓１の制御部１０は、図１１に示されるように「済」ボタンの操作入力に係る情報の到来をステップＳ２５において検出してＹＥＳへ分岐し、「済」ボタンの情報と共に送られてくるコネクタの位置情報に基づき、このコネクタについて照明設備における位置を「接続済」を示す表示に変更し、レイアウト表示の表示情報１００を図７に示す如くの画像に更新して（Ｓ２６）、システムの全端末器２−１〜２−９へ送出する（Ｓ２７：表示情報送出手段１０２）。このステップＳ２７においては、システムの全端末器２−１〜２−９へ送出することにより、他の作業者に当該作業の完了を知らせて、無駄な重複作業を避けることを可能としている。
【００３７】
このようにしてステップＳ２７において制御卓における制御部１０から表示情報が送られてくることに応じて、端末器２−１の制御部２０は、表示情報を受け取り（Ｓ１６：情報送受制御手段２０１）、表示部２１への表示を行い、図７に示されるような画像が表示される（Ｓ１７：表示制御手段２０２）。これにより、コネクタＣ２が例えば暗く特殊表示され、バトンＮｏ．１のコネクタＣ２に対する照明機器の接続作業が完了したことが一目瞭然に示されるものである。係る表示は、稼働状態である限りにおいて、システムの全端末器２−１〜２−９において確認される。さらに、上記端末器２−１〜２−９には、照明機器の設置予定位置の選択ボタンが備えられており、このボタンを選択することにより、当該端末器の識別情報(或いは端末器を携帯している作業員の識別情報等)が表示される。この表示についても、稼働状態である限りにおいて、システムの全端末器２−１〜２−９において確認され、どの作業員がどこで作業中であるかを番号等で確認できる。これにより、作業中の箇所が判別可能であり、次の作業の予定等を立てるなどにより作業効率を向上させることができる。なお、この場合の端末器の識別情報は、端末自体に設定されており、位置情報については、表示部においてカーソル等により入力するものとし、これらの情報は調光卓１へ送られて対応付けられて調光卓１において管理される。
【００３８】
本照明設備支援システムにあっては、以上のような照明機器に付設されたＩＣタグの情報を読み取って照明システムを構築してゆく作業とは異なり、表示部２１へ図５に示される如くの表示がなされている場合に、コネクタを指定して、このコネクタに接続されるべき照明機器に関する情報を表示させることも可能である。即ち、表示部２１へ図５に示される如くの表示がなされている場合に、コネクタを画面上において指定入力すると、図９、図１０に示すフローチャートに対応のプログラムにより動作している端末器２−１の制御部２０は、ステップＳ１０にてステップＳ１１へと進み、先に指示されたコネクタに接続されるべき照明機器の情報について表示を求める「機器」ボタン入力がなされたことに対応して、上記コネクタの位置情報を画面から求め、この位置情報を調光卓１へ送出する（Ｓ１１：情報送受制御手段２０１）。
【００３９】
このときに調光卓１の制御部１０は、図１１に示されるように、「済」の情報を含まないコネクタの位置情報の到来がないか（Ｓ２８）を検出しており、上記の通りに、コネクタの位置情報が、端末器２−１から送られてくるので、ステップＳ２８においてＹＥＳへ分岐し、図４に示される「コネクタ位置情報テーブル」を参照して送られてきたコネクタ位置情報に対応するコネクタＩＤを求めて、このコネクタＩＤに対応する照明機器情報を図３に示される「照明機器−コネクタ対応テーブル」を検索して求め、検索した照明機器情報をウインドウ表示するウインドウ表示用の表示情報を作成し、これを端末器２−１へ送出する（Ｓ２９：表示情報送出手段１０２）。
【００４０】
上記において、例えば、コネクタＣ９について指定入力がなされて、このコネクタに接続されるべき照明機器に関する情報を表示させる場合には、図８に示されるようなウインドウＷに、照明機器ＩＤ、機種情報、消費電力情報等の図３に示される「照明機器−コネクタ対応テーブル」に登録されている情報を表示する表示情報を作成して送出する。この表示情報には、コネクタに接続する照明機器の識別情報または機種情報の少なくとも一方が含まれる。
【００４１】
このような表示情報が制御卓１における制御部１０から送られてくることに応じて、端末器２−１の制御部２０は、表示情報を受け取り（Ｓ１１：情報送受制御手段２０１）、表示部２１への表示を行い、図８に示されるようなウインドウＷを有する画像が表示される（Ｓ１３：表示制御手段２０２）。図８に示されるウインドウＷには、コネクタに接続されるべき照明機器に関する情報である照明機器ＩＤ、機種情報、消費電力情報等の情報が表示されることから、ＩＣタグが付設されていない照明機器が適切なコネクタに接続されているような場合には、上記表示される照明機器情報とＩＣタグに記載されている照明機器ＩＤなど比べて、当該照明機器にＩＣタグを付設できる。また、コネクタに接続されるべき照明機器に関する情報を確認することもできる。
【００４２】
また、ＩＣタグが付設されていない照明機器が適切にコネクタな接続されているような場合には、付設前のＩＣタグの情報を読み取り、図９のステップＳ８にて説明したように図６に示すような表示を行わせることにより、当該読み取りを行ったＩＣタグをいずれのコネクタに接続された照明機器へ付設すべきかを知ることができ、ＩＣタグの付設作業を容易に行うことが可能である。従って、既存の照明設備について、ＩＣタグを用い照明システムの照明機器配置を演目やイベント毎に変更可能とする照明システムへグレードアップすることができる。
【００４３】
本照明設備支援システムにあっては、図３や図４に示したテーブル、また、コネクタについて照明設備における位置をレイアウト表示する表示情報に適用する照明設備レイアウト画像をパーソナルコンピュータによる汎用ソフトウエアを活用して作成し、調光卓１へ登録するために、図１に示す通り、パーソナルコンピュータ６がネットワーク３に接続される。
【００４４】
パーソナルコンピュータ６は汎用ソフトウエアを備える制御部６０と、情報を表示するための表示部、キーボードやタッチパネルなど各種の入力装置から構成される操作部、例えばＬＡＮカードにより構成される通信部６３を備える。このパーソナルコンピュータ６の制御部６０は、図１２に示されるフローチャートに対応するプログラム（照明設備支援システム用プログラム）を備えて、図３や図４に示したテーブル、また、コネクタについて照明設備における位置をレイアウト表示する表示情報に適用する照明設備レイアウト画像を作成するので、その動作を説明する。
【００４５】
パーソナルコンピュータ６を起動し、汎用ソフトウエアによる図形入力等により、紙に記載された劇場やスタジオなどを参照して図５に示される照明設備レイアウト画像を生成する（Ｓ３１：レイアウト画像作成手段）。このとき、図５などに示されるコンセント図形の生成を行う毎にコンセント毎にユニークなコンセントＩＤを生成し、パーソナルコンピュータ６の表示器画面上における当該コンセント位置の位置情報と対応付けて、図４に示されるような「コネクタ位置情報テーブル」の作成を行う（Ｓ３１：テーブル作成手段）。
【００４６】
次に、図１３に示されるようなタグ用テーブルを作成するかまたは完成したタグ用テーブルの情報を取得する（Ｓ３２）。図１３に示されるタグ用テーブルは、新規或いは既存の照明設備についてＩＣタグを照明機器に付設する場合に必須のものであり、システム毎にユニークな照明機器ＩＤに対応させて各照明機器の情報を登録したものである。このテーブルは、ＩＣタグを照明機器に既に付設した場合にはデータが作成されているので、パーソナルコンピュータ６に取り込むことでステップＳ３２が実行される。
【００４７】
次に、ステップＳ３２において作成等したタグ用テーブルの情報とステップＳ３１にて生成した照明設備レイアウト画像の情報とに基づき、タグ用テーブルにおける１つの照明機器ＩＤを選択して照明設備レイアウト画像のコネクタ中の該当コネクタに対応付け（例えば、ドラッグ＆ドロップによる）、図３に示されるようにコネクタＩＤと照明機器ＩＤ更に照明機器の属性情報を対応付けた「照明機器−コネクタ対応テーブル」を作成してゆく（Ｓ３３：テーブル作成手段）。
【００４８】
そして、上記において作成されたテーブルと画像を通信部６３を介してネットワーク３から調光卓１へ送って登録する（Ｓ３４）。このように、図１２に示すフローチャートに対応するプログラムは、コンピュータにより実行され、レイアウト画像作成手段と、テーブル作成手段とを実現し、照明設備支援システムのセンタ装置である調光卓１におけるレイアウト画像作成とテーブル作成を行うものである。上記のレイアウト画像作成手段は、照明設備の表示画像におけるコネクタ位置情報を受け付け、コネクタ識別情報に対応させて記憶すると共に、上記コネクタ位置情報対応のコネクタ画像を含む照明設備レイアウト画像を生成するものである。また、テーブル作成手段は、複数のコネクタを備える照明設備におけるコネクタの識別情報と、コネクタに接続する照明機器の識別情報の入力に応じて、これらを対応付けて記憶したテーブルを作成するものである。この照明設備支援システム用プログラムにより、現地におけるシステム構築を効果的に短時間で可能とする。
【図面の簡単な説明】
【００４９】
【図１】本発明に係る照明設備支援システムの実施例に係る構成図。
【図２】本発明に係る照明設備支援システムの要部構成を示す図。
【図３】本発明に係る照明設備支援システムに用いられる照明機器−コネクタ対応テーブルの一例に係る記憶内容を示す図。
【図４】本発明に係る照明設備支援システムに用いられるコネクタ位置情報テーブルの一例に係る記憶内容を示す図。
【図５】本発明に係る照明設備支援システムにおいて端末装置に表示される当初のレイアウト表示画像を示す図。
【図６】本発明に係る照明設備支援システムにおいて端末装置にてＩＣタグの読み取りが行われたときに表示されるレイアウト表示画像を示す図。
【図７】本発明に係る照明設備支援システムにおいて端末装置にて照明機器の接続完了通知が行われたときに表示されるレイアウト表示画像を示す図。
【図８】本発明に係る照明設備支援システムにおいて端末装置にてコネクタ対応の照明機器の情報要求が行われたときに表示されるレイアウト表示画像を示す図。
【図９】本発明に係る照明設備支援システムにおける端末装置の動作を説明するためのフローチャート。
【図１０】本発明に係る照明設備支援システムにおける端末装置の動作を説明するためのフローチャート。
【図１１】本発明に係る照明設備支援システムにおけるセンタ装置である調光卓の動作を説明するためのフローチャート。
【図１２】本発明に係る照明設備支援システムに用いられるテーブル糖等の作成動作を説明するためのフローチャート。
【図１３】システム毎にユニークな照明機器ＩＤに対応させて各照明機器の情報を登録したタグ用テーブルの一例に係る記憶内容を示す図。
【符号の説明】
【００５０】
１  調光卓
２−１〜２−ｎ  端末器
３  ネットワーク
５  照明設備
６  パーソナルコンピュータ
１０、２０、６０  制御部
１１、２１  表示部
１２、２２  操作部
１３、２３、６３  通信部
２４  読取部
３１〜３９  照明機器
４１〜４９  ＩＣタグ
５１〜５９  コネクタ
１００  表示情報
１０１  テーブル
１０２  表示情報送出手段
２０１情報送受制御手段
２０２  表示制御手段
【図１】
2007066584.tif 000003
【図２】
2007066584.tif 000004
【図３】
2007066584.tif 000005
【図４】
2007066584.tif 000006
【図５】
2007066584.tif 000007
【図６】
2007066584.tif 000008
【図７】
2007066584.tif 000009
【図８】
2007066584.tif 000010
【図９】
2007066584.tif 000011
【図１０】
2007066584.tif 000012
【図１１】
2007066584.tif 000013
【図１２】
2007066584.tif 000014
【図１３】
2007066584.tif 000015